(57)【特許請求の範囲】
【請求項１】
複数の壁用パネルと、
前記壁用パネルと同一の形状であり、出入口用のドアを有するドア用パネルと、
前記壁用パネルの上下方向の両端部が差込可能な溝部を一単位として複数の前記溝部を隣接配置することで構成され、一室を区画している第一の周囲溝を上面に設けている床部と、
前記床部の第一の周囲溝と同一の構成である第二の周囲溝を下面に設けている天井部と、
を備え、
前記ドア用パネルの下端部が、前記床部の第一の周囲溝の所定の溝部に差し込まれ、前記複数の壁用パネルの下端部が、前記床部の第一の周囲溝に差し込まれることで、前記複数の壁用パネル及び前記ドア用パネルで一室の周壁が構成され、前記ドア用パネルの上端部及び前記壁用パネルの上端部が、前記天井部の第二の周囲溝に差し込まれ、
前記壁用パネル及び前記ドア用パネルの左右方向の二つの両端部にそれぞれ弾性シートを設け、前記複数の壁用パネル及び前記ドア用パネルのうち、二つのパネルを相互に隣接して配置した際に、第一のパネルの左右方向の右端部の弾性シートと、当該第一のパネルに隣接する第二のパネルの左右方向の左端部の弾性シートとを当接させて、前記第一のパネルの右端部と前記第二のパネルの左端部との隙間の発生を防止し、
前記壁用パネル及び前記ドア用パネルの左右方向の両端部を内側に突出させて、前記壁用パネル及び前記ドア用パネルの左右方向の断面形状をコの字状に形成し、
前記床部の第一の周囲溝の溝部の形状が、前記コの字状に対応し、複数の前記溝部は、前記コの字状の突出部が内側に来るように配置され、前記第一の周囲溝の外周形状が長方形になるようにしており、
前記天井部の第二の周囲溝の形状は、前記床部の第一の周囲溝の形状と同様にしていることを特徴とする組立式室内用個室。
【請求項２】
前記壁用パネル及び前記ドア用パネルの下端部の中央に設けられた第一の切欠部と、
前記壁用パネル及び前記ドア用パネルの下端部に対面する第一の周囲溝の溝部に設けられた、前記第一の切欠部に嵌る第一の突起部と、
前記壁用パネル及び前記ドア用パネルの上端部の中央に設けられた第二の切欠部と、
前記壁用パネル及び前記ドア用パネルの上端部に対面する第二の周囲溝の溝部に設けられた、前記第二の切欠部に嵌る第二の突起部と、
を更に備えた
請求項１に記載の組立式室内用個室。
【請求項３】
前記天井部の内面に着脱され、保冷剤を備え、予め冷凍庫に保管しておいた保冷部と、
前記保冷剤を覆い、前記保冷剤に発生する結露を吸収する吸収シートと、
を更に備えた
請求項１又は２に記載の組立式室内用個室。
【請求項４】
前記第一の周囲溝の内側に、前記第一の周囲溝の長手方向に沿って平行に配置された２本のレール部と、
前記２本のレール部に装着され、前記２本のレール部に沿って移動可能な移動床部と、
を更に備えた
請求項１−３のいずれか一項に記載の組立式室内用個室。
【発明の詳細な説明】
【技術分野】
【０００１】
本発明は、組立式室内用個室に関する。
【背景技術】
【０００２】
従来より、個人所有の個室（ルーム、ボックス）に関する技術は存在する。例えば、実用新案登録第３１０５９５７号公報（特許文献１）には、室内の壁を改造せずに、映画や音楽を楽しみ、引越しに際して簡単に解体及び移動・組立が出来るパネル組立ボックスが開示されている。このパネル組立ボックスでは、事前に壁、床、天井及びドアの防音パネルを工場で作り、居室で組み立て可能としている。パネルは、軽量化のため、木製合板・ゴムを使い、空洞をつくり１人でも組立てられる様な重量とし、更に、強度を補強するため、骨材を内側からパッキンのついたネジで止めるよう構成している。
【０００３】
又、特開２００６−２４１９５７号公報（特許文献２）には、騒音対策及び省エネルギーに対応した住環境を目的とした防音室を、安価で、しかも移動を容易にした移動組立式防音室が開示されている。この移動組立式防音室は、パイプ又は鉄骨を構造体とすることにより、軽量壁とすることが出来て、移動が楽となるとしている。又、遮音性が高いとされる空気層のある空気のマットを使うことで、移動時には、空気を抜いて運べるため、１人で組立、１人で運べて、１人で解体出来るとしている。
【先行技術文献】
【特許文献】
【０００４】
【特許文献１】実用新案登録第３１０５９５７号公報
【特許文献２】特開２００６−２４１９５７号公報
【発明の概要】
【発明が解決しようとする課題】
【０００５】
従来の技術では、個室を一人で組み立てる場合に、パネルと床を固定又は接続するために骨材やパイプを骨格として組み立てた上で、パネルを骨格に金具で取り付ける必要があり、部品点数が多く、組立時間を要するという課題がある。更に、パイプやパネルの組み立てには、工具を必要とし、手間がかかるという課題がある。
【０００６】
特に、個室が屋内使用の場合、個室のドアの位置が予め固定されているため、ドアを屋内の出入口に向けた位置に個室を設置する必要があり、ドアの位置を自由に決めることが出来ず、個室の設置位置が限定されるという課題がある。又、個室内の暑さをしのぐために、エアコンを装着することも出来るが、エアコンには室外機の設置が必要であり、個室へのエアコン装着は困難である。
【０００７】
又、音楽や絵画等、一人で趣味を楽しみたい時、オリンピック中継、深夜番組等、一人で視聴する時、一人でリラックスしたい時、家の中でも、家族に迷惑を掛けずに、密閉された個室が必要になる。そのような場合に、従来の技術では、組立が複雑である上に、一人で簡単に個室の組立が出来ないという課題がある。
【０００８】
そこで、本発明は、前記課題を解決するためになされたものであり、工具を一切使用せずに、ドアの位置を自由に変更することが可能な組立式室内用個室を提供することを目的とする。
【課題を解決するための手段】
【０００９】
本発明者は、鋭意研究を重ねた結果、本発明に係る新規な組立式室内用個室を完成させた。即ち、本発明は、複数の壁用パネルと、ドア用パネルと、床部と、天井部と、を備える。ドア用パネルは、前記壁用パネルと同一の形状であり、出入口用のドアを有する。床部は、前記壁用パネルの上下方向の両端部が差込可能な溝部を一単位として複数の前記溝部を隣接配置することで構成され、一室を区画している第一の周囲溝を上面に設けている。天井部は、前記床部の第一の周囲溝と同一の構成である第二の周囲溝を下面に設けている。前記ドア用パネルの下端部が、前記床部の第一の周囲溝の所定の溝部に差し込まれ、前記複数の壁用パネルの下端部が、前記床部の第一の周囲溝に差し込まれることで、前記複数の壁用パネル及び前記ドア用パネルで一室の周壁が構成され、前記ドア用パネルの上端部及び前記壁用パネルの上端部が、前記天井部の第二の周囲溝に差し込まれる。前記壁用パネル及び前記ドア用パネルの左右方向の二つの両端部にそれぞれ弾性シートを設け、前記複数の壁用パネル及び前記ドア用パネルのうち、二つのパネルを相互に隣接して配置した際に、第一のパネルの左右方向の右端部の弾性シートと、当該第一のパネルに隣接する第二のパネルの左右方向の左端部の弾性シートとを当接させて、前記第一のパネルの右端部と前記第二のパネルの左端部との隙間の発生を防止する。前記壁用パネル及び前記ドア用パネルの左右方向の両端部を内側に突出させて、前記壁用パネル及び前記ドア用パネルの左右方向の断面形状をコの字状に形成し、前記床部の第一の周囲溝の溝部の形状が、前記コの字状に対応し、複数の前記溝部は、前記コの字状の突出部が内側に来るように配置され、前記第一の周囲溝の外周形状が長方形になるようにしており、前記天井部の第二の周囲溝の形状は、前記床部の第一の周囲溝の形状と同様にしている。
【００１０】
又、前記壁用パネル及び前記ドア用パネルの下端部の中央に設けられた第一の切欠部と、前記壁用パネル及び前記ドア用パネルの下端部に対面する第一の周囲溝の溝部に設けられた、前記第一の切欠部に嵌る第一の突起部と、前記壁用パネル及び前記ドア用パネルの上端部の中央に設けられた第二の切欠部と、前記壁用パネル及び前記ドア用パネルの上端部に対面する第二の周囲溝の溝部に設けられた、前記第二の切欠部に嵌る第二の突起部と、を更に備える。前記天井部の内面に着脱され、保冷剤を備え、予め冷凍庫に保管しておいた保冷部と、前記保冷剤を覆い、前記保冷剤に発生する結露を吸収する吸収シートと、を更に備える。前記第一の周囲溝の内側に、前記第一の周囲溝の長手方向に沿って平行に配置された２本のレール部と、前記２本のレール部に装着され、前記２本のレール部に沿って移動可能な移動床部と、を更に備える。
【発明の効果】
【００１１】
本発明によれば、工具を一切使用せずに、ドアの位置を自由に変更することが可能となる。
【図面の簡単な説明】
【００１２】
【図１】本発明の実施形態に係る組立式室内用個室の組立前を示す斜視図である。
【図２】本発明の実施形態に係る組立式室内用個室の組立後を示す斜視図である。
【図３】本発明の実施形態に係る壁用パネルの下端部、床部の第一の周囲溝の応用例を示す断面図である。
【図４】本発明の実施形態に係る第一の周囲溝の溝部の応用例を示す斜視図、平面図と、床部と第一の周囲溝の応用例を示す斜視図である。
【図５】本発明の実施形態に係る壁用パネルの応用例を示す斜視図、断面図、正面図である。
【図６】本発明の実施形態に係る壁用パネルの応用例を示す平面図、正面図、底面図と、床部の応用例を示す平面図である。
【図７】本発明の実施形態に係る床部及び天井部に対する壁用パネルの応用例を示す斜視図である。
【図８】本発明の実施形態に係る天井部の応用例を示す底面図と、保冷部の断面図である。
【図９】本発明の実施形態に係る床部の応用例を示す平面図と、断面図である。
【図１０】本発明の実施形態に係る床部の応用例を示す斜視図である。
【図１１】本発明の実施形態に係る組立式室内用個室の試作品を示す斜視図である。
【図１２】本発明の実施形態に係る組立式室内用個室の試作品を示す斜視図である。
【発明を実施するための形態】
【００１３】
以下に、添付図面を参照して、本発明の実施形態について説明し、本発明の理解に供する。尚、以下の実施形態は、本発明を具体化した一例であって、本発明の技術的範囲を限定する性格のものではない。
【００１４】
本発明に係る組立式室内用個室１は、図１に示すように、複数の壁用パネル１０と、ドア用パネル１１と、床部１２と、天井部１３と、を備える。ここで、パネルとは、四角い枠の一区画を意味する。
【００１５】
ドア用パネル１１は、壁用パネル１０と同一の形状であり、出入口用のドア１１ａを有する。床部１２は、一つの前記壁用パネル１０の上下方向（長手方向）の両端部が差込可能な溝部１２ａを一単位として複数の前記溝部１２ａを隣接配置することで構成され、一室を区画している第一の周囲溝１２ｂを上面に設けている。天井部１３は、前記床部１２の第一の周囲溝１２ｂと同一の構成である第二の周囲溝１３ａを下面に設けている。
【００１６】
図１では、第一の周囲溝１２ｂは、縦方向の寸法（大きさ）を一つの溝部１２ａで構成し、横方向の寸法を、直列に隣接配置した二つの溝部１２ａで構成した長方形状の溝部であり、丁度、トイレ程度の一室を区画している。第二の周囲溝１３ａも同様である。そのため、ドア用パネル１１が１つである場合、第一の周囲溝１２ｂ及び第二の周囲溝１３ａに差し込まれる壁用パネル１０の数は５つとなり、ドア用パネル１１及び壁用パネル１０の数を合計すると６つとなる。
【００１７】
そして、ドア用パネル１１の下端部１１ｂが、前記床部１２の第一の周囲溝１２ｂの所定の溝部１２ａに差し込まれ、前記複数の壁用パネル１０の下端部１０ａが、前記床部１２の第一の周囲溝１２ｂ（前記ドア用パネル１１の下端部１１ｂが差し込まれた所定の溝部１２ａ以外の他の溝部１２ａ）に差し込まれることで、前記複数の壁用パネル１０及び前記ドア用パネル１１で一室の周壁が構成され、前記ドア用パネル１１の上端部１１ｃ及び前記複数の壁用パネル１０の上端部１０ｂが、前記天井部１３の第二の周囲溝１３ａに差し込まれる。
【００１８】
これにより、壁用パネル１０及びドア用パネル１１は、床部１２の第一の周囲溝１２ｂと天井部１３の第二の周囲溝１３ａにそれぞれ差し込む（嵌合する）ことで、図２に示すように、工具を一切使用せずに、一人で簡単に個室を構成することが出来る。特に、壁用パネル１０及びドア用パネル１１を隣接して設置するだけで、組み立てられる一室の支柱、例えば、一室の四隅に設けられる支柱を設けていないことから、骨材やパイプを不要としているため、組立に要する時間を顕著に短縮することが出来るとともに、部品点数を減らし、量産化に優れる。又、壁用パネル１０及びドア用パネル１１を全て同一形状のパネルとすることで、コストダウンを図ることが出来る。
【００１９】
又、ドア用パネル１１が壁用パネル１０と同一形状であるから、組立時において、ドア用パネル１１を、前記第一の周囲溝１２ｂを構成する複数の溝部１２ａのいずれかに差し込むことで、ユーザーはドアの位置を自由に決めることが可能であり、ドアの位置を所望の位置に決定した上で個室を組み立てることが出来る。そのため、屋内で個室を組み立てる際に、ドアの位置が固定されないことから、ユーザーは、個室のドアの位置を、個室の設置予定の屋内の広さや間取りに合わせて自由に決めることが可能となり、どのような室内であっても、ユーザーの使い勝手の良いドアの位置で個室を組立・設置することが可能となる。
【００２０】
特に、ドア用パネル１１の上下は、ひっくり返すことが出来るため、例えば、ドア用パネル１１のドア１１ａのヒンジ部が左側に設けられている場合であっても、このドア用パネル１１を１８０度回転させることで、ドア１１ａのヒンジ部の位置を左側から右側に変更することが出来る。このように、開閉するドア１１ａのヒンジ部の位置もユーザーの希望に応じて簡単に調整することが出来る。
【００２１】
又、壁用パネル１０及びドア用パネル１１は、それぞれ左右方向の両端部（側面）を直線状としていることから、ユーザーが、組立時に、壁用パネル１０及びドア用パネル１１を隣接して並べる感覚で第一の周囲溝１２ｂに差し込むことで、壁用パネル１０及びドア用パネル１１の左右方向の両端部が、隣接する他の壁用パネル１０と当接し、個室の周壁が組み立てられる構成にしている。これにより、パネル組立時に、誰かがパネルを立てた状態にしなければ、次のパネルを立てることが出来ないという不具合を無くし、パネルの立位を簡素化し、一人で個室の組み立てを可能としている。
【００２２】
又、本発明に係る組立式室内用個室１は、複数の壁用パネル１０と、ドア用パネル１１と、床部１２と、天井部１３とは、ほぼ同等の形状・大きさとなることから、各部を重ねて一つにまとめることが出来るため、搬送が容易である。
【００２３】
ここで、本発明に係る組立式室内用個室１は、主に、部屋の内部を外部の音や光から遮断出来る密閉型の個室を想定しており、その用途は、例えば、家での自分だけの趣味の空間用の部屋、間接照明や音響設備を導入したリラックスルーム、家でのホームシアター用の部屋、カラオケ・音楽・楽器の練習用の部屋、音楽作成用の部屋、勉強用の部屋、ゲーム状況・チャット用の部屋、大部屋に対して兄弟・姉妹の子供用の部屋、洗濯物の乾燥用の部屋、物置用の部屋、瞑想用の部屋、書斎用の部屋、仏壇用の部屋、本棚用の部屋等の多目的空間として、ユーザーの希望に応じて利用することが出来る。特に、人間は、密閉された個室１に入ることで落ち着くという心理を有することから、住居部屋以外に落ち着くことが出来る密閉型の個室１を別途設けることで、ユーザーがリラックスする空間を室内に別途提供することが出来る。
【００２４】
又、図１では、ドア用パネル１１が１つである場合を想定したが、ドア用パネル１１の個数に限定は無く、例えば、図２に示すように、個室１の側面に一つのドア用パネル１１を設置し、個室１の正面にもう一つのドア用パネル１１を設置しても良い。ドア用パネル１１の個数を２以上とすることで、個室１内に風の通り道を形成することが出来るため、個室１内の空気の入れ替えが容易になる。その他に、２つのドア用パネル１１を、相互に対向する位置の２つの溝部１２ａにそれぞれ配置して差し込んで個室を組み立てることで、個室１を通過出来る２つの出入口が出来る。そのため、例えば、室内の中央付近に個室１を設置すると、この個室が室内のパーテーションとして機能し、室内を分割して使用することが出来る。利用方法は、ユーザーの目的に応じて様々であるが、例えば、この個室１をパーテーションとして、個室設置予定の部屋を、兄弟・姉妹のための子供用の複数の個室に分割することが出来る。
【００２５】
又、ドア用パネル１１のドア１１ａの形状に特に限定は無く、例えば、図２に示すように、個室１の側面に設けられたドア用パネル１１のドア１１ａは、左右半分の部分を開閉可能とする形状とし、個室１の正面に設けられたドア用パネル１１のドア１１ａは、全面の部分を開閉可能とする形状としている。特に、ドア用パネル１１のドア１１ａを全面の部分を開閉可能とすることで、個室１に物を搬入したり搬出したりし易くなる。
【００２６】
又、ドア用パネル１１のドア１１ａの設置方式に特に限定は無く、例えば、図２に示すように、金属製やシート状の蝶番等のヒンジ部を用いても良いし、コストダウンの点から、磁石や面ファスナー等の着脱部を用いても構わない。又、引き戸式のドア１１ａであっても、のれんのような立て掛け式のドア１１ａであっても構わない。又、例えば、ドア用パネル１１に設けられたドア１１ａ用の開口部の左右方向の一方の端部に、ヒンジ用の支柱を設け、ドア１１ａの左右方向の一方の端部に、前記支柱に装着可能なＣの字状の回動部を設ける構成でも良い。これにより、部品点数を減少させ、組立や保守を簡素化する。又、この支柱の位置は、ドア用パネル１１に設けられたドア１１ａ用の開口部の上下方向の上端部に設けられ、ドア１１ａの上下方向の上端部に、前記回動部を設けても良い。
【００２７】
又、天井部１３の構成に特に限定は無く、例えば、図２に示すように、天井部１３の第二の周囲溝１３ａと重ならない位置（中央側、内側の位置）に開閉可能な開閉部１３ｂを設けて、ユーザーの希望に応じて開閉部１３ｂを開放して、個室１内の空気の出入りを容易にしたり、開閉部１３ｂを閉塞して、個室１内の音が外部に漏れ出ないようにしたりしても構わない。
【００２８】
ここで、本発明では、組み立てられる一室の支柱を設けていないため、一人で個室を組み立てる場合、組立が容易であるが、全ての壁用パネル１０の下端部１０ａ及びドア用パネル１１の下端部１１ｂを床部１２の第一の周囲溝１２ｂに差し込んだ後は、壁用パネル１０又はドア用パネル１１が微小に搖動する。言い換えると、全ての壁用パネル１０の上端部１０ｂ及びドア用パネル１１の上端部１１ｃが直線状又はＬ字状に正確に揃いにくい。そのため、ユーザーが、全ての壁用パネル１０の上端部１０ｂ及びドア用パネル１１の上端部１１ｃを、天井部１３の第二の周囲溝１３ａに差し込もうとして、上に置いても、壁用パネル１０の上端部１０ｂ及びドア用パネル１１の上端部１１ｃが円滑に天井部１３の第二の周囲溝１３ａに入り込まない場合がある。そこで、例えば、図２に示すように、天井部１３を、２つに分割可能にし、分割後の一方の天井部１３ｃと、分割後の他方の天井部１３ｄとにそれぞれ装着部を設けて、相互に装着出来るように構成しても良い。装着部として、例えば、工具を用いない相互に装着可能な凹凸部を、一方の天井部１３ｃと他方の天井部１３ｄとの分割断面に設ける。このように構成することで、ユーザーが、一方の天井部１３ｃと、他方の天井部１３ｄとをそれぞれ別個に、壁用パネル１０の上端部１０ｂ及びドア用パネル１１の上端部１１ｃの上に載せてから、壁用パネル１０の上端部１０ｂ及びドア用パネル１１の上端部１１ｃを、一方の天井部１３ｃ及び他方の天井部１３ｄの第二の周囲溝１３ａに差し込んでから、その後、一方の天井部１３ｃ及び他方の天井部１３ｄを装着部で装着して、上側で天井部１３を組み立てることが出来るため、上側での差込作業が楽になる。尚、床部１２にも同様に採用することが出来る。
【００２９】
又、天井部１３の形状に特に限定は無く、例えば、表面を曲面状にして、デザイン性を向上させても良いし、裏面を曲面状にして、個室１内でプラネタリウム等の映像を投影させ易くしても良い。又、曲面状の裏面は、個室内のユーザーが見ると、内部の空間を広く感じるため、好ましい。
【００３０】
又、壁用パネル１０及びドア用パネル１１のパネルに特に限定は無く、例えば、通常の板材や段ボールでも良いし、防音材、断熱材等の機能性を有する板材でも良いし、板材に防音シート、断熱シート等を張り合わせても良い。パネルは、例えば、アルミ板と発泡板とを貼り合せた板材でも良いし、軽量樹脂で構成された板材でも良い。又、個室１をインテリアとして考える場合には、パネルの表面に、飾り付けや塗装を行っても良い。又、パネルの厚みに特に限定は無く、例えば、厚み方向に膨出して、断面視で曲線を描くような板材を用いても良い。これにより、個室１のデザイン性が向上する。又、パネルに、ガラス製パネルや透明性樹脂製パネルを用いて、外部から内部を視認出来るように構成しても良い。又、パネルの一部に、ガラスや透明性樹脂を設けて窓として機能させても良い。
【００３１】
又、壁用パネル１０の下端部１０ａ、ドア用パネル１１の下端部１１ｂ、床部１２の第一の周囲溝１２ｂ（溝部１２ａ）の構成に特に限定は無く、例えば、図３Ａに示すように、壁用パネル１０の下端部１０ａに、壁用パネル１０の左右方向に沿って、壁用パネル１０の厚み（正背方向のサイズ）よりも狭い厚みの凸部１０ｃを設け、第一の周囲溝１２ｂは、下端部１０ａの凸部１０ｃに嵌る凹部を構成しても良い。これにより、第一の周囲溝１０ｂに対する壁用パネル１０の下端部１０ａの差込が容易になる。
【００３２】
又、壁用パネル１０の下端部１０ａを、そのまま第一の周囲溝１２ｂに差し込む場合には、例えば、図３Ｂに示すように、第一の周囲溝１２ｂは、壁用パネル１０の下端部１０ａが差し込まれると、壁用パネル１０の厚み方向（正背方向）に一定のクリアランスｃを生じさせる溝幅を有し、図３Ｃに示すように、前記クリアランスｃは、前記差し込まれた壁用パネル１０の下端部１０ａが第一の周囲溝１２ｂの溝壁に当接して、当該壁用パネル１０が立位する程度のサイズとすると好ましい。これにより、ユーザーが一人で組み立てる際に、前記クリアランスｃの存在により、壁用パネル１０の下端部１０ａを第一の周囲溝１２ｂに容易に差し込むことが出来るとともに、差し込んだ後、壁用パネル１０が立位するため、ユーザーが次の壁用パネル１０の下端部１０ａを第一の周囲溝１２ｂに差し込み易くなり、一人での組み立てを容易にする。又、ユーザーが個室１の組立完了後に、クリアランスｃに、別途用意したゴム製のシートを挟んで、壁用パネル１０を確実に固定しても良い。
【００３３】
又、例えば、図３Ｄに示すように、壁用パネル１０の下端部１０ａの厚み方向の角部が削られて面取りされても良いし、図３Ｅに示すように、第一の周囲溝１２ｂの溝幅方向（壁用パネル１０の下端部１０ａの厚み方向）の角部が削られて面取りされても良い。これにより、いずれの場合であっても、ユーザーが、壁用パネル１０の下端部１０ａを第一の周囲溝１２ｂに容易に差し込むことが出来る。特に、ユーザーが、一人で壁用パネル１０の差込を行う際に、パネルの左右方向の寸法により、差込に対して手間取る場合があるため、面取りすることで、面取りされた傾斜面を上手く利用して、壁用パネル１０の下端部１０ａを第一の周囲溝１２ｂの溝部１２ａに簡単に差し込むことが可能となり、差込に要する時間を短縮出来る。
【００３４】
又、図３Ｆに示すように、壁用パネル１０の下端部１０ａは面取りされるとともに、第一の周囲溝１２ｂは、前記クリアランスｃを備えても良い。尚、図３Ａ〜図３Ｆに示す構成は、ドア用パネル１１の下端部１１ｂ、壁用パネル１０の上端部１０ｂ、ドア用パネル１１の上端部１１ｃ、天井部１３の第二の周囲溝１３ａにも同様に採用することが出来る。ここで、天井部１３の第二の周囲溝１３ａの溝幅は、床部１２の第一の周囲溝１２ｂの溝幅よりも大きいと、ユーザーが一人で天井部１３の第二の周囲溝１３ａを壁用パネル１０の上端部１０ｂ及びドア用パネル１１の上端部１１ｃに差し込む際に、差し込み易くなる。天井部１３の第二の周囲溝１３ａに設けられるクリアランスが、床部１２の第一の周囲溝１２ｂに設けられるクリアランスよりも大きいと更に好ましい。一人での組立の場合、上側での差込作業は、ユーザーが見え難く、壁用パネル１０の上端部１０ｂ及びドア用パネル１１の上端部１１ｃを、天井部１３の第二の周囲溝１３ａに差し込み難いから、その差込を容易にするために、天井部１３の第二の周囲溝１３ａのクリアランスを大きくすることで、上側での差込作業が楽になる。上側での差込作業の点から、第二の周囲溝１３ａにのみ、壁用パネル１０の上端部１０ｂが差し込まれると、壁用パネル１０の厚み方向に一定のクリアランスｃを生じさせる溝幅を有するよう構成しても良い。
【００３５】
又、床部１２の第一の周囲溝１２ｂ、天井部１３の第二の周囲溝１３ａの構成に特に限定は無いが、例えば、図４に示すように、一枚の壁用パネル１０の下端部１０ａが差し込まれる溝部１２ａを一部材として別途作成し、床部１２の上面に、複数の溝部１２ａを隣接配置して、一室を区画するよう構成することで、第一の周囲溝１２ｂを設けても良い。このように構成することで、床部１２を市販品で構成する等、床部１２に予め溝部１２ａを設けられない構成であっても、別途作成した複数の溝部１２ａを床部１２の上面に貼り付けたり固定したりすれば、第一の周囲溝１２ｂを床部１２に形成させることが出来る。尚、天井部１３の第二の周囲溝１３ａにも同様に採用することが出来る。
【００３６】
又、第一の周囲溝１２ｂへ差し込んだ壁用パネル１０の上端部１０ｂ又はドア用パネル１１の上端部１１ｃは相互に搖動するため、天井部１３の第二の周囲溝１２ｂに差し込み難い場合がある。そこで、第一の壁用パネル１０の上端部１０ｂの角部と、これに隣接する第二の壁用パネル１０の上端部１０ｂの角部とを相互に連結する連結部を設けても良い。特に、本発明では、支柱が無いため、一人で、複数の壁用パネル１０で構成された周壁面を角筒状に固定することは難しい。そのため、前記連結部を用いることで、個室１の周壁面を角筒状に確実に固定して安定化を図り、天井部１３の第二の周囲溝１３ａへの差込を容易にする。
【００３７】
例えば、図５Ａに示すように、第一の壁用パネル１０と第二の壁用パネル１０とが直線状に隣接配置されている場合、前記連結部１４は、断面形状が、第一の壁用パネル１０の上端部１０ｂに装着可能なコの字状であり、平面視の形状が、第一の壁用パネル１０の上端部１０ｂの角部１０ｄと、これ（当該第一の壁用パネル１０の上端部１０ｂの角部１０ｄ）に隣接する第二の壁用パネル１０の上端部１０ｂの角部１０ｅとに跨ることが可能な直線状に構成される。又、例えば、図５Ｂに示すように、第一の壁用パネル１０と第二の壁用パネル１０とがＬ字状に隣接配置されている場合、断面形状が上述のコの字状であり、平面視の形状が、第一の壁用パネル１０の上端部１０ｂの角部１０ｄと、これに隣接する第二の壁用パネル１０の上端部１０ｂの角部１０ｅとに跨ることが可能なＬ字状に構成される。尚、連結部１４の断面形状は、図５Ｃに示すように、上端部１０ｂにすっぽり入る程度のコの字状でも良いし、上端部１０ｂを把持する程度の略Ｃの字状でも良い。又、連結部１４は、上端部１０ｂとともに、第二の周囲溝１３ａにも差し込まれることから、厚みを薄く構成される。
【００３８】
又、連結部１４は、上述のように壁用パネル１０とは別途構成されても良いし、図５Ｄに示すように、連結部１４として、壁用パネル１０の上端部１０ｂの二つの角部１０ｄ、１０ｅにそれぞれ磁石を内蔵するよう構成しても良い。これにより、連結部１４の紛失を防止し、連結部１４が邪魔にならずに、上端部１０ｂを第二の周囲溝１３ａに差し込むことが出来る。更に、二つの壁用パネル１０を相互に隣接して強固に固定するために、図５Ｅに示すように、連結部１４として、壁用パネル１０の上端部１０ｂの二つの角部１０ｄ、１０ｅと、下端部１０ａの二つの角部１０ｆ、１０ｇのそれぞれにそれぞれ磁石を内蔵するよう構成しても良い。又、二つの壁用パネル１０を相互に隣接して配置した際に、少しの隙間が生じることがあり、この隙間が音や光の漏れの原因になることから、当該隙間を内外からテープで覆っても良いが、例えば、図５Ｅに示すように、壁用パネル１０の左右方向の二つの両端部１０ｈ、１０ｉにそれぞれ弾性シート１５を設けても良い。これにより、二つの壁用パネル１０を相互に隣接して配置した際に、第一の壁用パネル１０の左右方向の右端部１０ｈの弾性シート１５と、隣接する第二の壁用パネル１０の左右方向の左端部１０ｉの弾性シート１５とを当接させて、前記隙間の発生を防止するよう構成しても良い。
【００３９】
又、他の連結部１４の例として、図５Ｆに示すように、第一の壁用パネル１０の上端部１０ｂの一方の角部１０ｄに、角部１０ｄを軸にして回動可能な板状の連結部を設け、当該連結部は、一方の角部１０ｄに隣接配置された第二の壁用パネル１０の上端部１０ｂの他方の角部１０ｅに引っ掛かるか固定されるよう構成しても良い。尚、図５Ａ〜図５Ｆに示す構成は、ドア用パネル１１にも同様に採用することが出来る。
【００４０】
又、壁用パネル１０及びドア用パネル１１の左右方向（短手方向）の断面形状に特に限定は無く、例えば、図６に示すように、パネルの左右方向の両端部を内側に突出させて、左右方向の断面形状をコの字状に形成しても良い。この場合、床部１２の第一の周囲溝１２ｂの溝部１２ａの形状が、コの字状に対応し、例えば、複数の溝部１２ａは、コの字状の突出部が内側に来るように配置され、第一の周囲溝１２ｂの外周形状が長方形状になるようにしている。尚、天井部１３の第二の周囲溝１３ａの形状も同様である。これにより、壁用パネル１０の下端部１０ａ又はドア用パネル１１の下端部１１ｂを第一の周囲溝１２ｂの溝部１２ａに装着した際に、コの字状にズレなく差し込まれるため、差込後の壁用パネル１０又はドア用パネル１１の揺れやブレが生じ難く、組立易くなるとともに、組立後の個室１も全体として揺れにくく強固に立位させることが可能となる。又、第一の周囲溝１２ｂの外周形状が長方形状になることで、壁用パネル１０及びドア用パネル１１の外面は角筒の周囲面に構成され、個室１として外観が向上する。更に、コの字状の両端部が、丁度、個室の支柱の役割を果たすことから、壁用パネル１０の上端部１０ｂ又はドア用パネル１１の上端部１０ｃの搖動を抑制し、天井部１３の装着を容易にする。尚、壁用パネル１０の上端部１０ｂ又はドア用パネル１１の上端部１１ｃ、第二の周囲溝１３ａも同様である。又、パネルの左右方向の両端部を外側に突出させても構わない。
【００４１】
又、壁用パネル１０の上下端部の形状に特に限定は無く、例えば、図７に示すように、壁用パネル１０の下端部１０ａの中央に第一の切欠部１０ｊを設け、壁用パネル１０の下端部１０ａに対面する第一の周囲溝１２ｂの溝部１２ａに、前記第一の切欠部１０ｊに嵌る第一の突起部１２ｃを設けても良い。これにより、壁用パネル１０の下端部１０ａを床部１２の第一の周囲溝１２ｂに差し込む際に、第一の切欠部１０ｊを第一の突起部１２ｃに嵌めることで壁用パネル１０が位置決めされ、壁用パネル１０を第一の周囲溝１２ｂに正確に装着することが出来る。又、壁用パネル１０の上端部１０ｂも同様に、中央に第二の切欠部１０ｋを設け、壁用パネル１０の上端部１０ｂに対面する第二の周囲溝１３ａの溝部１３ｃに、前記第二の切欠部１０ｋに嵌る第二の突起部１３ｅを設けても良い。尚、ドア用パネル１１の上下端部も同様である。
【００４２】
又、天井部１３の内面に特に限定は無く、例えば、図８に示すように、天井部１３の内面に着脱可能な保冷部１６を設けても良い。この保冷部１６は、例えば、保冷剤１６ａと、保冷剤１６ａの上面に設けられ、天井部１３の内面の雌螺子部１３ｆに螺着可能な雄螺子部１６ｂと、保冷剤１６ａを覆い、発生する結露を吸収する吸収シート１６ｃとを備えている。これにより、個室１を夏場で使用する場合、予め冷凍庫に保管しておいた保冷部１６を天井部１３の内面に装着することで、個室１内の温度上昇を防止し、夏場でも快適に過ごすことが可能となる。又、保冷部１６を設けることで、別途、個室１にエアコンを設ける必要が無くなり、室外機の設置等を考慮する必要も無くなる。
【００４３】
ここで、吸収シート１６ｃの素材に特に限定は無いが、例えば、炭素繊維にすると、水の吸収が促進されるとともに、環境の湿度に応じて吸収水を外部に発散し、調湿機能を付与することが出来る。又、炭素繊維は、吸収水の発散の際に、マイナスイオンを放出することから、個室１内で安らぎを得やすくすることが出来る。
【００４４】
又、床部１２の上面の構成に特に限定は無く、例えば、図９に示すように、第一の周囲溝１２ｂの内側に、長手方向に沿って平行に配置された２本のレール部１２ｄを設け、２本のレール部１２ｄに装着され、２本のレール部１２ｄに沿って移動可能な移動床部１２ｅを設けても良い。これにより、移動床部１２ｅに置かれた物を個室１内で簡単に移動させることが可能となる。又、移動床部１２ｅの上面に、マッサージチェア等の椅子１２ｆや机１２ｇを設置することで、ユーザーが個室１内でリラックスしたり、飲食したり、作業したりすることが可能となる。尚、レール部１２ｄの構成を溝として、溝に挿入可能なコロを移動床部１２ｅの底面に設けても良いし、レール部１２ｄの構成をＶレールとして、Ｖに挿入可能な山部を移動床部１２ｅの底面に設けても良い。図９では、移動床部１２ｅを２つ設けたが、１つでも構わない。
【００４５】
又、床部１２は、例えば、図９に示すように、下面に複数のキャスター１７を設けて、全体として台車とすることが出来る。床部１２を台車とすれば、一度設置した個室１を簡単に移動することが可能となり、室内の配置変更や清掃を容易にすることが可能となる。このキャスター１７は、固定式でも回転式でも構わない。
【００４６】
又、第一の周囲溝１２ｂ及び第二の周囲溝１３ａの寸法（個室１内の寸法）に特に限定は無いが、例えば、縦方向の寸法が９０ｃｍであり、横方向の寸法が１８０ｃｍであると好ましい。そして、パネルの上下方向の寸法は、１６０ｃｍ〜２００ｃｍの範囲内であると好ましい。これにより、ユーザーが個室１に入った際に、心地よいパーソナルスペースを確保することが出来るため、リラックスルームとして好適となる。これらの寸法は、例えば、トイレの一室程度である。
【００４７】
又、床部１２の構成に特に限定は無いが、例えば、上述のようにキャスター１７を設置しても良いし、図１０に示すように、床部１２の下面の四隅に、支柱１８の上端部をそれぞれ接続し、別途用意した台部１９の上面の四隅に、当該支柱１８の下端部をそれぞれ接続して、個室を上側に設置出来るように構成しても良い。支柱１８は、例えば、金属製パイプで、耐荷重性を有する素材を用いる。上方で組み立てられた個室１には、階段２０を用いて出入りする。これにより、上方の空間は、室内のロフトのように利用することが出来るとともに、下方の空間は、物置に利用することが出来るため、空間の有効利用を図ることが出来る。
【００４８】
又、本発明に係る組立式室内用個室では、全ての複数の壁用パネル１０とドア用パネル１１とを第一の周囲溝１２ｂ及び第二の周囲溝１３ａに差し込むことで密閉空間を構成することが出来るが、一部の壁用パネル１０を外して、開放空間を構成し、他の用途に活用しても良い。
【００４９】
＜実施例、実験結果等＞
以下、実施例等によって本発明を具体的に説明するが、本発明はこれにより限定されるものではない。
【００５０】
先ず、図１、図２に基づいて、図１１に示すように、組立式室内用個室の試作品を作成した。人が出入りする小型のドアを有する第一のドア用パネルは１枚とし、物を搬入・搬出する大型のドアを有する第二のドア用パネルは１枚とし、壁用パネルは４枚とし、第一の周囲溝及び第二の周囲溝は、長方形状で、丁度、トイレ程度の一室を区画するように構成した。
【００５１】
図１１Ａに示すように、床部、第一のドア用パネル、第二のドア用パネル、複数の壁用パネル、天井部は、相互に重ねて一つにまとめることが出来る。これにより、搬送が容易となる。
【００５２】
ユーザーが、一つにまとめられた部材を受け取ると、室内において床部を所望する場所に配置して、第一のドア用パネル、第二のドア用パネル、複数の壁用パネルを、床部の第一の周囲溝に差し込んでいく。例えば、図１１Ｂに示すように、先ず、第二のドア用パネル２１ｂを差し込み、次に、壁用パネル２０を差し込む。次に、ユーザーは、第一のドア用パネル２１ａを差し込む。差し込む順番に特に限定は無い。
【００５３】
ここで、図１１Ｃに示すように、例えば、ユーザーは、第一のドア用パネル２１ａを、第二のドア用パネル２１ｂと対向する位置に差し込んだり、図１１Ｄに示すように、第一のドア用パネル２１ａを、壁用パネル２０と対向する位置に差し込んだりして、自由にドアの位置を決定することが出来る。
【００５４】
又、第一のドア用パネル２１ａの上下は、ひっくり返すことが出来るため、図１２Ａに示すように、例えば、ユーザーは、ドアのヒンジ部が左側に設けてある第一のドア用パネル２１ａをそのまま差し込んで配置しても良いし、第一のドア用パネル２１ａを１８０度回転させて、図１２Ｂに示すように、ドアのヒンジ部を右側に変更した状態で第一のドア用パネル２１ａを差し込んで配置しても良い。
【００５５】
そして、ユーザーが、全ての壁用パネル２０を差し込み、前記壁用パネル２０及び前記ドア用パネル１１で一室の周壁を構成し、天井部の第二の周囲溝に、第一のドア用パネル、第二のドア用パネル、複数の壁用パネルの全てを差し込めば、図１２Ｃに示すように、個室１が完成する。ここまでで工具を一切使用していない。更に、図１２Ｄに示すように、第一のドア用パネルの位置を変更した上で、個室１を完成させることが出来る。
【産業上の利用可能性】
【００５６】
以上のように、本発明に係る組立式室内用個室は、室内用のリラックスルームはもちろん、多目的空間の個室として有用であり、工具を一切使用せずに、ドアの位置を自由に変更することが可能な組立式室内用個室として有効である。
【符号の説明】
【００５７】
１  組立式室内用個室
１０  壁用パネル
１１  ドア用パネル
１２  床部
１３  天井部
【要約】      （修正有）【課題】工具を一切使用せずに、ドアの位置を自由に変更することが可能な組立式室内用個室を提供する。【解決手段】床部１２は、壁用パネル１０の上下方向の端部が差込可能な溝部１２ａを一単位として複数の前記溝部１２ａを隣接することで構成され、一室を区画している第一の周囲溝１２ｂを上面に設けており、天井部１３は、床部１２の第一の周囲溝１２ｂと同一の構成である第二の周囲溝１３ａを下面に設け、壁用パネル１０と同一の形状の出入口用のドア１１ａを有する、ドア用パネル１１の下端部１１ｂが、床部１２の第一の周囲溝１２ｂの所定の溝部１２ａに差し込まれ、複数の壁用パネル１０の下端部１０ａが、床部１２の第一の周囲溝１２ｂに差し込まれることで、複数の壁用パネル１０及び前記ドア用パネル１１で一室の周壁が構成され、ドア用パネル１１の上端部１１ｃ及び壁用パネル１０の上端部１０ｂが、天井部１３の第二の周囲溝１３ａに差し込まれる。【選択図】図１【図１】
0006048775.tif 000002
【図２】
0006048775.tif 000003
【図３】
0006048775.tif 000004
【図４】
0006048775.tif 000005
【図５】
0006048775.tif 000006
【図６】
0006048775.tif 000007
【図７】
0006048775.tif 000008
【図８】
0006048775.tif 000009
【図９】
0006048775.tif 000010
【図１０】
0006048775.tif 000011
【図１１】
0006048775.tif 000012
【図１２】
0006048775.tif 000013